(57)【要約】【課題】不必要なアラーム出力を抑制して、アラームの信頼性を向上し得る生体情報モニタリングシステム及び生体情報モニターを提供すること。【解決手段】テレメータ送信機又は移動可能なベッドサイドモニターの移動を検知する移動検知部１０４と、生体情報に基づいてアラーム判定を行うとともに、移動検知部１０４による移動検知結果に基づいてアラームを抑制するアラーム制御部１０３と、を設けたことにより、不必要なアラーム出力を抑制して、アラームの信頼性を向上し得る。【選択図】図３
2020124575.tif 000002
【特許請求の範囲】
【請求項１】
生体情報を検出する生体情報検出手段と、
前記生体情報検出手段の移動を検知する移動検知手段と、
前記生体情報検出手段によって検出された前記生体情報に基づいてアラーム判定を行うとともに、前記移動検知手段による移動検知結果に基づいてアラームを抑制するアラーム制御手段と、
を具備し、
前記生体情報検出手段は、複数種類の生体情報を検出可能なものであり、
前記アラーム制御手段は、前記生体情報検出手段によって検出される生体情報の種類に応じて、アラーム抑制の度合いを変化させる、
生体情報モニタリングシステム。
【請求項２】
前記アラーム制御手段は、前記移動検知手段による移動検知結果に基づいてクリニカルなアラームを抑制するとともに、前記移動検知手段による移動検知結果に基づいてテクニカルなエラーアラームを出力する、
請求項１に記載の生体情報モニタリングシステム。
【請求項３】
前記生体情報検出手段は、移動可能な生体情報モニターである、
請求項１又は請求項２に記載の生体情報モニタリングシステム。
【請求項４】
生体情報検出手段によって検出された生体情報を受信する受信手段と
前記生体情報検出手段の移動を検知する移動検知手段と、
前記生体情報検出手段によって検出された前記生体情報に基づいてアラーム判定を行うとともに、前記移動検知手段による移動検知結果に基づいてアラームを抑制するアラーム制御手段と、
を具備し、
前記生体情報検出手段は、複数種類の生体情報を検出可能なものであり、
前記アラーム制御手段は、前記生体情報検出手段によって検出される種類に応じて、アラーム抑制の度合いを変化させる、
生体情報モニター。
【発明の詳細な説明】
【技術分野】
【０００１】
本発明は、移動可能な生体情報モニターを用いて、生体情報をモニタリングする生体情報モニタリングシステム及び生体情報モニターに関する。
【背景技術】
【０００２】
医療用のテレメータシステムは、電波を用いて、心電図などの生体情報信号を離れた場所でモニタリングすることができるので、医療サービスの向上や医療従事者の負担軽減を支援するツールとしてなくてはならない存在になっている。このような医療用のテレメータシステムは、例えば特許文献１で開示されている。
【０００３】
医療用のテレメータシステムは、一般に、センサーと、テレメータ送信機と、テレメータ送信機からの信号を受信する生体情報モニターと、から構成される。ここで、センサーと送信機が、一体になっているものと、別体になっているものがある。本明細書では、センサーと送信機が一体となっているもの、及び、センサーと送信機が別体になっているもの、いずれも、テレメータ送信機と呼ぶことにする。
【０００４】
近年では、携帯型のテレメータ送信機が広く普及している。携帯型のテレメータ送信機は、患者の身体に装着できる程度に小型軽量化されており、患者がベッドから離れても生体情報を取得できるので便利である。テレメータ送信機は、心電図波形、呼吸波形、脈波波形、血圧、体温、酸素飽和度などの生体情報を取得し、この生体情報を無線にて送信する。
【０００５】
テレメータ送信機から無線送信された生体情報は、例えばナースステーションに設けられた生体情報モニターつまりセントラルモニターにて受信され、これにより当該セントラルモニターによって各患者の生体情報がモニタリングされる。このセントラルモニターには、各テレメータ送信機の送信チャネルに対応する受信周波数が登録されている。これによりセントラルモニターは各患者を識別して各患者の生体情報をモニタリングできるようになっている。また、セントラルモニターには、各テレメータ送信機の位置情報発信周波数と、各テレメータ送信機のチャネル番号、モニター番号が紐付けて登録されている。これにより、セントラルモニターは、位置情報アンテナからＬＡＮ（Local Area Network）経由で受信した位置情報をモニタリングできるようになっている。
【０００６】
なお、テレメータ送信機を用いた場合と同様に、移動可能な生体情報モニター（ベッドサイドモニターと言ってもよい）を用いれば、移動中の患者の生体情報を無線にてセントラルモニターに送ることができる。この場合、患者に装着された生体情報を測定するための各種センサーと移動可能な生体情報モニターとは別体となっており有線にて接続され、入力した生体情報を無線にて送信する。なお、本明細書では、便宜上、テレメータ送信機を移動可能な生体情報モニターと分けて記載するが、本来、テレメータ送信機は移動可能な生体情報モニターの一種である。
【０００７】
因みに、ナースステーションのセントラルモニターは、テレメータ送信機や移動可能な生体情報モニターから無線送信された生体情報を、例えばセントラルモニターの受信部に直接取り付けられたホイップアンテナや病院内の天井裏に配設されたアンテナシステムを介して受信するようになっている。また、専用の無線受信機で生体情報を受信し、ＬＡＮを介してセントラルモニターに生体情報を入力する場合もある。また、テレメータ送信機から無線送信された生体情報を一旦ベッドサイドモニターで受信し、このベッドサイドモニターを介してセントラルモニターに生体情報を入力する場合もある。
【先行技術文献】
【特許文献】
【０００８】
【特許文献１】特開２００５−１７７３４２号公報
【発明の概要】
【発明が解決しようとする課題】
【０００９】
ところで、歩行可能又は移動可能な患者が移動している場合には、体動やケーブルへの振動により微弱な生体信号が影響を受けることから、例えば心拍数やＳｐＯ２のモニタリング数値が乱れるので、誤アラームが出力され、この結果セントラルモニターでのアラームの信頼性が低下する不都合があった。
【００１０】
本発明は、以上の点を考慮してなされたものであり、不必要なアラーム出力を抑制して、アラームの信頼性を向上し得る生体情報モニタリングシステム及び生体情報モニターを提供する。
【課題を解決するための手段】
【００１１】
本発明の生体情報モニタリングシステムの一つの態様は、
生体情報を検出する生体情報検出手段と、
前記生体情報検出手段の移動を検知する移動検知手段と、
前記生体情報検出手段によって検出された前記生体情報に基づいてアラーム判定を行うとともに、前記移動検知手段による移動検知結果に基づいてアラームを抑制するアラーム制御手段と、
を具備する。
【００１２】
本発明の生体情報モニターの一つの態様は、
生体情報検出手段によって検出された生体情報を受信する受信手段と
生体情報検出手段の移動を検知する移動検知手段と、
前記生体情報検出手段によって検出された前記生体情報に基づいてアラーム判定を行うとともに、前記移動検知手段による移動検知結果に基づいてアラームを抑制するアラーム制御手段と、
を具備する。
【発明の効果】
【００１３】
本発明によれば、不必要なアラーム出力を抑制して、アラームの信頼性を向上させることができる。
【図面の簡単な説明】
【００１４】
【図１】実施の形態に係る生体情報モニタリングシステムの概略構成を示す図
【図２】テレメータ送信機の概略構成を示すブロック図
【図３】セントラルモニターの要部構成を示すブロック図
【発明を実施するための形態】
【００１５】
以下、本発明の実施の形態について、図面を用いて詳細に説明する。
【００１６】
図１は、実施の形態に係る生体情報モニタリングシステムの概略構成を示す図である。図１の生体情報モニタリングシステム１０は、例えば病院内に配設されている。
【００１７】
ナースステーションにはセントラルモニター１００が設けられており、セントラルモニター１００は各患者に装着された生体情報検出手段としてのテレメータ送信機２００またはベッドサイドモニター３０−１から無線送信された各患者の生体情報を受信する。実際上、テレメータ送信機２００及びベッドサイドモニター３０−１から無線送信された生体情報は、位置を特定可能なアンテナ２０−１〜２０−３によって受信された後、ＬＡＮ（Local Area Network）を介してセントラルモニター１００に伝送される。具体的には、アンテナ２０−１〜２０−３は、テレメータ送信機からの位置情報発信周波数を受信したときに、生体情報とともに自アンテナの識別情報を出力するようになっている。これにより、セントラルモニター１００は、生体情報がどの位置のアンテナで受信されたかを認識することができる。
【００１８】
また、セントラルモニター１００は、テレメータ送信機２００から無線送信された生体情報を、ＬＡＮを介さずに、テレメータ送信機２００及びベッドサイドモニター３０−１から直接、ホイップアンテナＡＮ０で受信することも可能となっている。
【００１９】
セントラルモニター１００には、各テレメータ送信機２００の送信チャネルに対応する受信周波数が登録されている。これによりセントラルモニター１００は各患者を識別して各患者の生体情報をモニタリングできるようになっている。また、セントラルモニター１００には、各テレメータ送信機２００の位置情報発信周波数と、各テレメータ送信機２００のチャネル番号、モニター番号が紐付けて登録されている。これにより、セントラルモニター１００は、アンテナ２０−１〜２０−３からＬＡＮ経由で受信した位置情報をモニタリングできるようになっている。
【００２０】
なお、テレメータ送信機２００を用いた場合と同様に、移動可能なベッドサイドモニター３０−１を用いれば、移動中の患者の生体情報を無線にてセントラルモニター１００に送ることができる。この場合、患者に装着された生体情報を測定するための各種センサーとベッドサイドモニター３０−１とは別体となっており有線にて接続され、ベッドサイドモニター３０−１は入力した生体情報を無線にて送信する。
【００２１】
図２は、テレメータ送信機２００の概略構成を示すブロック図である。
【００２２】
テレメータ送信機２００は既知の構成なので、ここでは簡単に説明する。テレメータ送信機２００は、患者に装着された、心電図測定用電極、ＳｐＯ２測定用プローブ及び血圧計等からなるセンサー群２０１により得られた生体情報を有線にて入力する。テレメータ送信機２００は、無線周波数の設定操作等を行うための操作部２０２、アラーム表示等を行う表示部２０３、生体情報を無線送信する無線送信部２０４、制御部２０５及びバッテリ２０６を有する。この構成によりテレメータ送信機２００は、センサー群２０１により得られた生体情報を無線送信できるようになっている。なお、ベッドサイドモニター３０−１の構成も機能的にはテレメータ送信機２００の構成とほぼ同様である。
【００２３】
図３は、本実施の形態によるセントラルモニター１００の要部構成を示すブロック図である。
【００２４】
セントラルモニター１００は、ＬＡＮを介して伝送された情報を受信部１０１によって受信する。また、セントラルモニター１００は、無線伝送された情報をホイップアンテナＡＮ０及び受信部１０１によって受信する。本実施の形態の場合、受信部１０１は、テレメータ送信機２００及びベッドサイドモニター３０−１から送信された生体情報に加えて、テレメータ送信機２００及びベッドサイドモニター３０−１の位置を示す位置情報を受信する。
【００２５】
この位置情報は、例えば、複数のアンテナ２０−１〜２０−３のうちテレメータ送信機２００又はベッドサイドモニター３０−１から送信された信号を受信したアンテナの位置や受信時刻を示す情報である。すなわち、テレメータ送信機２００又はベッドサイドモニター３０−１からの信号はテレメータ送信機２００又はベッドサイドモニター３０−１に最も近くのアンテナ２０−１〜２０−３によって受信されるので、そのアンテナを特定することでテレメータ送信機２００又はベッドサイドモニター３０−１の位置を認識できるようになる。
【００２６】
受信部１０１によって受信された生体情報は、表示制御部１０２及びアラーム制御部１０３に出力される。一方、受信部１０１によって受信された位置情報は、移動検知部１０４に出力される。
【００２７】
移動検知部１０４は、テレメータ送信機２００又はベッドサイドモニター３０−１の移動を検知する。なお、以下の説明では、記載を簡単にするために、テレメータ送信機２００と記載した場合には、ベッドサイドモニター３０−１も含むものとする。移動検知部１０４は、例えば、テレメータ送信機２００からの信号を受信しているアンテナ２０−１〜２０−３の変化に基づいて、テレメータ送信機２００の移動を検知する。例えば、テレメータ送信機２００が移動している場合には、テレメータ送信機２００からの信号を受信するアンテナ２０−１〜２０−３が変化するので、それに基づいてテレメータ送信機２００が移動していること及び移動速度を検知できる。
【００２８】
なお、移動検知部１０４によるテレメータ送信機２００の移動検知の方法は、これに限らない。例えば、セントラルモニター１００が位置情報としてテレメータ送信機２００からの信号の受信電界強度の情報を入力した場合には、この受信電界強度に基づいてテレメータ送信機２００の移動を検知してもよい。
【００２９】
表示制御部１０２は、生体情報を入力して、心電図、ＳｐＯ２及び血圧等の生体情報をディスプレイ１０５に表示する。また、表示制御部１０２は、アラーム制御部１０３からアラーム出力指示信号を入力すると、ディスプレイ１０５にアラームを表示する。また、アラーム制御部１０３からのアラーム出力指示信号は、ＬＥＤ（Light Emitting Diode）やスピーカー等からなるアラームインジケータ１０６にも入力され、光や音でもアラーム出力が行われる。
【００３０】
また、表示制御部１０２は、移動検知結果を入力し、移動検知結果をディスプレイ１０５に表示する。これにより、医療従事者は、患者が移動していることや移動速度を知ることができ、患者の生体情報に乱れがある場合に、その原因が移動によるものなのか否かを判断できるようになる。
【００３１】
アラーム制御部１０３は、生体情報を所定閾値と比較することでアラーム判定を行い、生体情報が所定の閾値を超えた場合に、アラームを出力させる。これに加えて、アラーム制御部１０３は、移動検知部１０４による移動検知結果に基づいてアラームを抑制するようになっている。これにより、歩行等による患者の移動に起因して生体情報の数値が乱れても、不必要なアラームを抑制できるようになる。
【００３２】
本実施の形態による、移動検知結果に基づくアラーム抑制について詳しく説明する。アラームを抑制するにあたって、以下のような工夫を行うことにより、より好ましいアラーム制御を行うことができる。
【００３３】
（ｉ）テレメータ送信機２００の移動の度合いが大きいほど、アラーム抑制の度合いを大きくする。例えば移動を検知した場合や移動検知回数の頻度に応じて、アラーム抑制の度合いを決定する。これにより、生体情報の乱れの大きさに適合したアラーム抑制を行うことができるようになる。因みに、アラームの抑制の度合いは、具体的には、アラーム判定閾値をどの程度アラームが出力されにくい方向に設定するか、またはアラーム遅延時間（アラーム状態が継続した場合のアラームを鳴らすまでの時間）をどの程度アラームが出力されにくい方向に設定するか、またはアラーム閾値積分値（アラーム閾値と計測値の差を積分した数値のアラームを鳴らすまでの時間）をどの程度アラームが出力されにくい方向に設定するか、によって決まる。
【００３４】
（ｉｉ）生体情報の種類に応じてアラーム抑制の度合いを変える。移動に起因する生体情報の数値の乱れは、呼吸＞心電図＞ＳｐＯ２、のように生体情報の種類に応じて異なると考えられる。これを考慮して、同じ移動が検知された場合でも、ＳｐＯ２よりも心電図のアラームの抑制の度合いを大きくし、心電図よりも呼吸のアラームの抑制の度合いを大きくするとよい。さらに、移動に起因する生体情報の数値の乱れは、計測方法や臨床現場の状況に応じて異なると考えられるので、同じ移動が検知された場合でも、計測方法や臨床現場の状況に応じてアラームの抑制の度合いを変えてもよい。
【００３５】
（ｉｉｉ）テレメータ送信機２００が取り付けられている患者に応じてアラーム抑制の度合いを変える。患者によっては、移動によって生体情報が乱れやすい患者と乱れにくい患者が存在すると考えられ、また、患者によっては、たとえ移動したとしてもアラームを抑制すべきでない患者（例えば点滴をしている患者、重症患者、車椅子で移動する患者）が存在すると考えられるので、このような対策を取ることが好ましい。
【００３６】
（ｉV）移動の検知を、クリニカルなアラームと区別して、テクニカルな（つまり人為的な）エラーアラームとして扱う。すなわち、移動が検知された場合には、例えば電極が外れた場合と同様にテクニカルなエラーアラームとして出力する。そして、テクニカルなエラーアラームを出力するとともに、上述したようにクリニカルなアラームを抑止するなどの対応をする。これにより、病状が悪化した場合のアラームでなく、患者移動検知によるアラームであることが明確となり、クリニカルなアラームの信頼性を向上できる。
【００３７】
以上説明したように、本実施の形態によれば、テレメータ送信機２００又は移動可能なベッドサイドモニター３０−１の移動を検知する移動検知部１０４と、生体情報に基づいてアラーム判定を行うとともに、移動検知部１０４による移動検知結果に基づいてアラームを抑制するアラーム制御部１０３と、を設けたことにより、不必要なアラーム出力を抑制して、アラームの信頼性を向上し得る生体情報モニタリングシステム１０及びセントラルモニター１００を実現できる。
【００３８】
また、移動検知結果をテクニカルアラームとして出力することにより、医療従事者は、患者が移動していることや移動の度合いを知ることができ、患者の生体情報に乱れがある場合に、その原因が移動によるものなのかを判断できるようになる。
【００３９】
なお、上述の実施の形態では、テレメータ送信機２００又は移動可能なベッドサイドモニター３０−１からの信号を受信しているアンテナ２０−１〜２０−３の変化に基づいて、テレメータ送信機２００の移動を検知する場合について述べたが、本発明によるテレメータ送信機２００又は移動可能なベッドサイドモニター３０−１の移動の検知の仕方はこれに限らない。例えばテレメータ送信機２００又は移動可能なベッドサイドモニター３０−１に加速度センサーを搭載し、そのセンサー出力に基づいて移動を検知してもよい。また、テレメータ送信機２００又は移動可能なベッドサイドモニター３０−１に移動中であることを設定する操作スイッチを設け、その操作スイッチが操作されたか否かで移動中か否かを検知してもよい。
【００４０】
また、上述の実施の形態では、移動検知部１０４、アラーム制御部１０３をセントラルモニター１００に設け、セントラルモニター１００で移動検知に基づくアラーム抑制を行う場合について述べたが、本発明はこれに限らず、移動検知に基づくアラーム抑制をベッドサイドモニター３０−ｎ等の生体情報モニターで行うようにしてもよい。
【００４１】
なお、上述の実施の形態では、便宜上、テレメータ送信機を移動可能な生体情報モニターと分けて記載したが、テレメータ送信機は移動可能な生体情報モニターの一種であると考えてよい。
【００４２】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４３】
本発明は、テレメータ送信機又は移動可能な生体情報モニターを用いて、生体情報をモニタリングする生体情報モニタリングシステム及び生体情報モニターに適用し得る。
【符号の説明】
【００４４】
１０  生体情報モニタリングシステム
２０−１〜２０−３  アンテナ
３０−１、３０−ｎ  ベッドサイドモニター
１００  セントラルモニター
１０１  受信部
１０２  表示制御部
１０３  アラーム制御部
１０４  移動検知部
１０５  ディスプレイ
１０６  アラームインジケータ
２００  テレメータ送信機 
【図１】
2020124575.tif 000003
【図２】
2020124575.tif 000004
【図３】
2020124575.tif 000005